(57)【要約】【課題】複数の調湿ユニットを有する調湿システムの外気冷房運転時において、室内を均一に冷却できるようにする【解決手段】室外空気の温度と、各調湿ユニット（10）に吸い込まれる室内空気の温度とが検出され、これらの温度差ΔＴ1-4が算出される。風量制御部（98）は、調湿ユニット（10）毎の温度差ΔＴ1-4に基づいて、排気ファン（25）の風量を制御する。【選択図】図１０
2010078245.tif 000002
【特許請求の範囲】
【請求項１】
室内空気を吸い込んで室外へ排出するための排気ファン（25）と、室外空気を吸い込んで室内へ供給するための給気ファン（26）と、室内へ供給する空気の湿度を調節する調湿手段（51,52）とをそれぞれ有する複数の調湿ユニット（10）を備え、該複数の調湿ユニット（10）は、同一の室内の室内空気を室外へ排出しながら、室外空気を上記調湿手段（51,52）で調湿せずに同一の室内へ供給する外気冷房運転をそれぞれ実行可能に構成されている調湿システムであって、
上記排気ファン（25）に吸い込まれる室内空気の温度を調湿ユニット（10）毎にそれぞれ検出する複数の内気温度センサ（92）と、
室外空気の温度を検出する外気温度センサ（91）と、
上記各内気温度センサ（92）で検出した各内気温度と、上記外気温度センサ（91）で検出した外気温度との温度差を、調湿ユニット（10）毎にそれぞれ導出する温度差導出部（97）と、
上記外気冷房運転時に、上記温度差導出部（97）で導出された各温度差に基づいて、各調湿ユニット（10）の排気ファン（25）の風量をそれぞれ制御する風量制御部（98）とを更に備えていることを特徴とする調湿システム。
【請求項２】
請求項１において、
上記温度差導出部（97）は、上記調湿ユニット（10）毎の上記温度差の所定時間における変化量を求めるように構成され、
上記風量制御部（98）は、調湿ユニット（10）の上記温度差の変化量が所定値よりも大きくなると、対応する調湿ユニット（10）の排気ファン（25）の風量を減少させることを特徴とする調湿システム。
【請求項３】
請求項１において、
上記温度差導出部（97）は、上記調湿ユニット（10）毎の上記温度差の所定時間における変化量を求めるように構成され、
上記風量制御部（98）は、調湿ユニット（10）の上記温度差の変化量が所定値よりも小さくなると、対応する調湿ユニット（10）以外の調湿ユニット（10）の排気ファン（25）の風量を増大させることを特徴とする調湿システム。
【請求項４】
請求項１において、
上記風量制御部（98）は、上記温度差導出部（97）で導出された温度差が大きくなると、対応する調湿ユニット（10）の排気ファン（25）の風量を増大させ、上記温度差導出部（97）で導出された温度差が小さくなると、対応する調湿ユニット（10）の排気ファン（25）の風量を減少させることを特徴とする調湿システム。
【請求項５】
室内空気を吸い込んで室外へ排出するための排気ファン（25）と、室外空気を吸い込んで室内へ供給するための給気ファン（26）と、室内へ供給する空気の湿度を調節する調湿手段（51,52）とをそれぞれ有する複数の調湿ユニット（10）を備え、該複数の調湿ユニット（10）は、同一の室内の室内空気を室外へ排出しながら、室外空気を上記調湿手段（51,52）で調湿せずに同一の室内へ供給する外気冷房運転をそれぞれ実行可能に構成されている調湿システムであって、
上記排気ファン（25）に吸い込まれる室内空気の温度及び湿度を調湿ユニット（10）毎にそれぞれ検出し、該温度及び湿度に基づいて室内空気のエンタルピを調湿ユニット（10）毎に導出する内気エンタルピ導出部（92,94,97）と、
室外空気の温度及び湿度を検出し、該温度及び湿度に基づいて室外空気のエンタルピを導出する外気エンタルピ導出部（91,93,97）と、
上記内気エンタルピ導出部（92,94,97）で導出した各内気エンタルピと、上記外気エンタルピ導出部（91,93,97）で導出した外気エンタルピとのエンタルピ差を、調湿ユニット（10）毎にそれぞれ導出するエンタルピ差導出部（97）と、
上記外気冷房運転時に、上記エンタルピ差導出部（97）で導出された各エンタルピ差に基づいて、各調湿ユニット（10）の排気ファン（25）の風量をそれぞれ制御する風量制御部（98）とを更に備えていることを特徴とする調湿システム。
【請求項６】
請求項５において、
上記エンタルピ差導出部（97）は、上記調湿ユニット（10）毎の上記エンタルピ差の所定時間における変化量を求めるように構成され、
上記風量制御部（98）は、調湿ユニット（10）の上記エンタルピ差の変化量が所定値よりも大きくなると、対応する調湿ユニット（10）の排気ファン（25）の風量を減少させることを特徴とする調湿システム。
【請求項７】
請求項６において、
上記エンタルピ差導出部（97）は、上記調湿ユニット（10）毎の上記エンタルピ差の所定時間における変化量を求めるように構成され、
上記風量制御部（98）は、調湿ユニット（10）の上記エンタルピ差の変化量が所定値よりも小さくなると、対応する調湿ユニット（10）以外の調湿ユニット（10）の排気ファン（25）の風量を増大させることを特徴とする調湿システム。
【請求項８】
請求項５において、
上記風量制御部（98）は、上記エンタルピ差導出部（97）で導出されたエンタルピ差が大きくなると、対応する調湿ユニット（10）の排気ファン（25）の風量を増大させ、上記エンタルピ差導出部（97）で導出されたエンタルピ差が小さくなると、対応する調湿ユニット（10）の排気ファン（25）の風量を減少させることを特徴とする調湿システム。
【発明の詳細な説明】
【技術分野】
【０００１】
本発明は、複数の調湿ユニットにより室内の湿度を調節する調湿システムに関し、特に外気冷房が可能な調湿システムに係るものである。
【背景技術】
【０００２】
従来より、空気の湿度を調節する調湿装置が知られている。この種の調湿装置として、特許文献１には、吸着剤が担持された吸着熱交換器を用いて空気を調湿するものが開示されている。
【０００３】
特許文献１の調湿装置は、冷媒が循環して冷凍サイクルが行われる冷媒回路を有している。冷媒回路には、圧縮機と、第１吸着熱交換器と、第２吸着熱交換器と、膨張弁と、四方切換弁とが接続されている。圧縮機は、ケーシング内の所定の収容室に設けられている。また、第１吸着熱交換器と第２吸着熱交換器とは、ケーシング内の第１熱交換器室及び第２吸着熱交換器室にそれぞれ設けられている。
【０００４】
冷媒回路では、四方切換弁の設定に応じて冷媒の循環方向が可逆に切り換え可能となっている。具体的に、冷媒回路では、四方切換弁の設定が所定時間おきに切り換わることで、第１吸着熱交換器を高圧冷媒が流れて第２吸着熱交換器を低圧冷媒が流れる第１の動作と、第１吸着熱交換器を低圧冷媒が流れて第２吸着熱交換器を高圧冷媒が流れる動作とが交互に行われる。
【０００５】
低圧冷媒が流れる方の吸着熱交換器（蒸発器）では、吸着剤が冷却されるとともに、吸着剤に空気中の水分が吸着される。高圧冷媒が流れる方の吸着熱交換器（凝縮器若しくは放熱器）では、吸着剤が加熱されるとともに、水分が吸着剤から脱離して空気に付与される。このように、各吸着熱交換器では、四方切換弁の切り換えに伴い、水分を吸着する動作（吸着動作）と水分を脱離する動作（再生動作）とが交互に行われる。
【０００６】
この調湿装置は、各吸着熱交換器に担持された吸着剤に接触した空気の一方を室内へ供給して他方を室外へ排出する。例えば、調湿運転中の調湿装置では、第１及び第２の吸着熱交換器のうち蒸発器として動作する方を通過した空気が室内へ供給されて、凝縮器として動作する方を通過した空気が室外へ排出されるように、ケーシング内での空気の流通経路が設定される。この調湿装置では、このような空気の流通経路を複数のダンパの開閉動作によって切り換えるようにしている。
【０００７】
また、特許文献２には、いわゆる外気冷房が可能な空気調和装置が開示されている。この空気調和装置は、室外空気の温度が室内空気の温度よりも低いような時期（いわゆる中間期）において、比較的低い温度の室外空気をそのまま室内へ供給する。これにより、外気を用いて室内を冷房する外気冷房が行われ、省エネルギー性の向上が図られている。
【特許文献１】特開２００５−２９１５３２号公報
【特許文献２】特開２００５−１７２２８３号公報
【発明の開示】
【発明が解決しようとする課題】
【０００８】
ところで、オフィス等の比較的広い空間や、室内の潜熱の負荷が高い空間では、上記のような調湿装置を複数台用いて同一の室内の湿度を調節することが考えられる。つまり、空気を調湿して室内へ供給する複数の調湿ユニットによって１つの調湿システムを構成することが考えられる。また、このような調湿システムにおいて、各調湿ユニットでそれぞれ上記外気冷房を行うことも考えられる。つまり、中間期等において、室外空気を室内へ供給しながら室内空気を室外へ排出する動作を各調湿ユニットでそれぞれ行うことで、室内を冷房することも考えられる。一方、このような調湿システムの外気冷房運転時において、窓等を開放して自然換気を行う場合、室内の温度が不均一となってしまう可能性がある。
【０００９】
この点について、図１２を参照しながら説明する。この例の調湿システム（100）は、４台の調湿ユニット（101,102,103,104）を備えている。これらの調湿ユニット（101,102,103,104）のうち第１調湿ユニット（101）と第２調湿ユニット（102）とが、室内の窓（W）寄りに設けられ、第３調湿ユニット（103）と第４調湿ユニット（104）とが、窓（W）から離れた位置に設けられている。つまり、第１及び第２ユニット（101,102）は、窓（W）の近傍の室内空気を取り込んで室外へ排出し、第３及び第４ユニット（103,104）は、窓（W）から比較的遠くの室内空気を取り込んで室外へ排出する。
【００１０】
調湿システム（100）において、例えば中間期等に各調湿ユニット（101,102,103,104）で外気冷房運転が行われると、各調湿ユニット（101,102,103,104）では、室内空気（RA）が室外へ排出され、室外空気が供給空気（SA）として室内へ導入される。これにより、各調湿ユニット（101,102,103,104）によって室内が冷房される。このような状況において、自然換気を行うために窓（W）が開放されたとする。この場合、窓（W）から室内へ取り込まれる室外空気は、窓（W）に近い第１及び第２調湿ユニット（101,102）ばかりに吸い込まれてしまうため、窓（W）から遠い位置となる第３及び第４調湿ユニット（103,104）側へは行き渡らなくなる。このため、第１及び第２調湿ユニット（101,102）の近傍の室内空気が速やかに冷却される一方、第３及び第４調湿ユニット（103,104）側の室内空気がなかなか冷却されないという事態を招いてしまう。その結果、外気冷房運転時において、室内の温度が不均一となってしまい、室内の省エネ性や快適性が損なわれてしまう。
【００１１】
本発明は、かかる点に鑑みてなされたものであり、その目的は、複数の調湿ユニットを有する調湿システムの外気冷房運転時において、室内を均一に冷却できるようにすることである。
【課題を解決するための手段】
【００１２】
第１の発明は、室内空気を吸い込んで室外へ排出するための排気ファン（25）と、室外空気を吸い込んで室内へ供給するための給気ファン（26）と、室内へ供給する空気の湿度を調節する調湿手段（51,52）とをそれぞれ有する複数の調湿ユニット（10）を備え、該複数の調湿ユニット（10）は、同一の室内の室内空気を室外へ排出しながら、室外空気を上記調湿手段（51,52）で調湿せずに同一の室内へ供給する外気冷房運転をそれぞれ実行可能に構成されている調湿システムを対象とする。そして、この調湿システムは、上記排気ファン（25）に吸い込まれる室内空気の温度を調湿ユニット（10）毎にそれぞれ検出する複数の内気温度センサ（92）と、室外空気の温度を検出する外気温度センサ（91）と、上記各内気温度センサ（92）で検出した各内気温度と、上記外気温度センサ（91）で検出した外気温度との温度差を、調湿ユニット（10）毎にそれぞれ導出する温度差導出部（97）と、上記外気冷房運転時に、上記温度差導出部（97）で導出された各温度差に基づいて、各調湿ユニット（10）の排気ファン（25）の風量をそれぞれ制御する風量制御部（98）とを更に備えていることを特徴とする。
【００１３】
第１の発明の調湿システムには、複数の調湿ユニット（10）が設けられる。各調湿ユニット（10）は、各々が排気ファン（25）と給気ファン（26）と調湿手段（51,52）とを備えている。調湿ユニット（10）は、例えば室外空気を調湿手段（51,52）で調湿し、調湿後の空気を室内へ供給する運転を行う。また、各調湿ユニット（10）は、室外空気（外気）が室内空気（内気）よりも低いような中間期等において、外気冷房運転を実行可能に構成されている。この外気冷房運転では、排気ファン（25）が運転されることで室内空気が取り込まれて室外へ排出される。同時に給気ファン（26）が運転されることで室外空気が取り込まれる。室外空気は、調湿手段（51,52）で調湿されることなく、室内へ供給される。これにより、室内の換気が行われて室外空気が室内へ積極的に供給される。その結果、室内の冷房が行われる。
【００１４】
本発明では、上記の外気冷房運転時において窓を開放させる等により自然換気を行う際、自然換気によって室内を均一に冷却できるように、各調湿ユニット（10）の排気ファン（25）の風量を制御している。
【００１５】
具体的には、外気冷房運転時において、温度差導出部（97）は、各内気温度センサ（92）で検出した室内空気の温度と外気温度センサ（91）で検出した外気温度との温度差ΔＴを、調湿ユニット（10）毎に個別に導出する。このため、窓等が開放されて自然換気が行われた場合に室内の温度分布が不均一となった場合にも、このような温度分布のムラを上記温度差ΔＴによって把握することができる。
【００１６】
より詳細には、例えば複数の調湿ユニット（10）のうち第１調湿ユニット（10a）と第２調湿ユニット（10b）の近傍に窓があったとする。この場合には、窓から取り込まれる室外空気は、第１調湿ユニット（10a）や第２調湿ユニット（10b）へ取り込まれ易くなり、残りの調湿ユニット（10c,10d）側へは行き渡りにくくなる。このため、室内では、第１及び第２調湿ユニット（10a,10b）での内気と外気の温度差ΔＴが比較的小さくなり、第３及び第４調湿ユニット（10c,10d）での内気と外気の温度差ΔＴが比較的大きくなる。このため、各調湿ユニット（10）での温度差ΔＴをそれぞれ導出することで、室内の温度分布のムラを把握できる。
【００１７】
風量制御部（98）は、調湿ユニット（10）毎の温度差ΔＴに基づいて、排気ファン（25）の風量（即ち、吸い込まれる室内空気の量）を制御する。このため、上記の温度分布のムラを解消するように、排気ファン（25）の風量を制御することで、自然換気によって室内を均一に冷却することができる。
【００１８】
第２の発明は、第１の発明において、上記温度差導出部（97）は、上記調湿ユニット（10）毎の上記温度差の所定時間における変化量を求めるように構成され、上記風量制御部（98）は、調湿ユニット（10）の上記温度差の変化量が所定値よりも大きくなると、対応する調湿ユニット（10）の排気ファン（25）の風量を減少させることを特徴とする。
【００１９】
第２の発明では、温度差導出部（97）が、調湿ユニット（10）毎の温度差ΔＴの変化量を導出する。ここで、外気冷房運転時において、例えば第１及び第２調湿ユニット（10a,10b）の温度差ΔＴの変化量が所定値よりも大きく、第３及び第４調湿ユニット（10c,10d）の温度差ΔＴの変化量が所定値以下であったとする。この場合、自然換気によって第１及び第２調湿ユニット（10a,10b）の近傍では、室内空気が速やかに冷却され、第３及び第４調湿ユニット（10c,10d）の近傍では、室内空気がなかなか冷却されていないと判断することができる。
【００２０】
そこで、このような場合の風量制御部（98）は、温度差ΔＴの変化量が所定値よりも大きい第１及び第２調湿ユニット（10a,10b）の各排気ファン（25）の風量を減少させる。これにより、第１及び第２調湿ユニット（10a,10b）側に取り込まれる窓からの室外空気の量が少なくなり、その分だけ第３及び第４調湿ユニット（10c,10d）側に取り込まれる窓からの室外空気の量が多くなる。その結果、室内の温度分布のムラが解消される。
【００２１】
第３の発明は、第１の発明において、上記温度差導出部（97）は、上記調湿ユニット（10）毎の上記温度差の所定時間における変化量を求めるように構成され、上記風量制御部（98）は、調湿ユニット（10）の上記温度差の変化量が所定値よりも小さくなると、対応する調湿ユニット（10）以外の調湿ユニット（10）の排気ファン（25）の風量を増大させることを特徴とする。
【００２２】
第３の発明では、温度差導出部（97）が、調湿ユニット（10）毎の温度差ΔＴの変化量を導出する。ここで、外気冷房運転時において、例えば第１及び第２調湿ユニット（10a,10b）の温度差ΔＴの変化量が所定値よりも大きく、第３及び第４調湿ユニット（10c,10d）の温度差ΔＴの変化量が所定値以下であったとする。この場合、自然換気によって第１及び第２調湿ユニット（10a,10b）の近傍では、室内空気が速やかに冷却され、第３及び第４調湿ユニット（10c,10d）の近傍では、自然換気によって室内空気がなかなか冷却されていないと判断することができる。
【００２３】
そこで、このような場合の風量制御部（98）は、温度差ΔＴの変化量が所定値よりも小さい第３及び第４調湿ユニット（10c,10d）の各排気ファン（25）の風量を増大させる。これにより、第３及び第４調湿ユニット（10c,10d）側に取り込まれる窓からの室外空気の量が多くなり、その分だけ第１及び第２調湿ユニット（10a,10b）側に取り込まれる窓からの室外空気の量が少なくなる。その結果、室内の温度分布のムラが解消される。
【００２４】
第４の発明は、第１の発明において、上記風量制御部（98）は、上記温度差導出部（97）で導出された温度差が大きくなると、対応する調湿ユニット（10）の排気ファン（25）の風量を増大させ、上記温度差導出部（97）で導出された温度差が小さくなると、対応する調湿ユニット（10）の排気ファン（25）の風量を減少させることを特徴とする。
【００２５】
第４の発明では、第２や第３の発明と異なり、各調湿ユニット（10）の温度差ΔＴの大きさに応じて、対応する排気ファン（25）の風量が制御される。具体的には、例えば第３調湿ユニット（10c）や第４調湿ユニット（10d）での温度差ΔＴが比較的大きい場合、窓からの室外空気によって第３調湿ユニット（10c）や第４調湿ユニット（10d）の近傍が充分に冷却されていないと判断できる。このような場合、風量制御部（98）は、第３調湿ユニット（10c）や第４調湿ユニット（10d）の排気ファン（25）の風量を増大させる。その結果、第３調湿ユニット（10c）や第４調湿ユニット（10d）の近傍まで窓からの室外空気が行き渡るようになり、室内の温度分布のムラが解消される。
【００２６】
また、例えば第１調湿ユニット（10a）や第２調湿ユニット（10b）での温度差ΔＴが比較的小さい場合、自然換気によって第１及び第２調湿ユニット（10a,10b）の近傍が充分に冷却されているが、これに伴い残りの第３調湿ユニット（10c）や第４調湿ユニット（10d）の近傍が充分に冷却されていない虞があると判断できる。従って、このような場合、風量制御部（98）は、第１調湿ユニット（10a）や第２調湿ユニット（10b）の排気ファン（25）の風量を減少させる。その結果、第３調湿ユニット（10c）や第４調湿ユニット（10d）の近傍まで窓からの室外空気が行き渡るようになり、室内の温度分布のムラが解消される。
【００２７】
第５の発明は、室内空気を吸い込んで室外へ排出するための排気ファン（25）と、室外空気を吸い込んで室内へ供給するための給気ファン（26）と、室内へ供給する空気の湿度を調節する調湿手段（51,52）とをそれぞれ有する複数の調湿ユニット（10）を備え、該複数の調湿ユニット（10）は、同一の室内の室内空気を室外へ排出しながら、室外空気を上記調湿手段（51,52）で調湿せずに同一の室内へ供給する外気冷房運転をそれぞれ実行可能に構成されている調湿システムを対象とする。そして、この調湿システムは、上記排気ファン（25）に吸い込まれる室内空気の温度及び湿度を調湿ユニット（10）毎にそれぞれ検出し、該温度及び湿度に基づいて室内空気のエンタルピを調湿ユニット（10）毎に導出する内気エンタルピ導出部（92,94,97）と、室外空気の温度及び湿度を検出し、該温度及び湿度に基づいて室外空気のエンタルピを導出する外気エンタルピ導出部（91,93,97）と、上記内気エンタルピ導出部（92,94,97）で導出した各内気エンタルピと、上記外気エンタルピ導出部（91,93,97）で導出した外気エンタルピとのエンタルピ差を、調湿ユニット（10）毎にそれぞれ導出するエンタルピ差導出部（97）と、上記外気冷房運転時に、上記エンタルピ差導出部（97）で導出された各エンタルピ差に基づいて、各調湿ユニット（10）の排気ファン（25）の風量をそれぞれ制御する風量制御部（98）とを更に備えていることを特徴とする。
【００２８】
第５の発明は、第１の発明と同様の調湿システムを対象とする。一方、第５の発明では、第１の発明と異なり、室内空気や室外空気の湿度も考慮して、調湿ユニット（10）毎の排気ファン（25）の風量が制御される。具体的には、本発明の各調湿ユニット（10）には、各排気ファン（25）に吸い込まれる室内空気の温度及び湿度を検出し、これらから室内空気のエンタルピ（以下、内気エンタルピという）を調湿ユニット（10）毎に導出する、内気エンタルピ導出部（92,94,97）が設けられる。また、調湿システムには、室外空気の温度と湿度とを検出し、これらから室外空気のエンタルピ（以下、外気エンタルピという）を導出する外気エンタルピ導出部（91,93,97）が設けられる。外気冷房運転時において、エンタルピ差導出部（97）は、内気エンタルピ導出部（92,94,97）で導出した内気エンタルピと、外気エンタルピ導出部（91,93,97）で導出した外気エンタルピとのエンタルピ差Δｈを、調湿ユニット（10）毎に個別に導出する。そして、風量制御部（98）は、各調湿ユニット（10）のエンタルピ差Δｈに基づいて、排気ファン（25）の風量を制御する。つまり、第５の発明では、外気と内気の温度差だけでなく、外気と内気の湿度差をも考慮し、各調湿ユニット（10）の排気ファン（25）の風量を制御している。このため、本発明では、第１の発明のように室内空気の温度分布のムラを解消するだけでなく、室内のエンタルピ（即ち、顕熱負荷と潜熱負荷の総和）の分布のムラを解消することができる。
【００２９】
第６の発明は、第５の発明において、上記エンタルピ差導出部（97）は、上記調湿ユニット（10）毎の上記エンタルピ差の所定時間における変化量を求めるように構成され、上記風量制御部（98）は、調湿ユニット（10）の上記エンタルピ差の変化量が所定値よりも大きくなると、対応する調湿ユニット（10）の排気ファン（25）の風量を減少させることを特徴とする。
【００３０】
第６の発明は、エンタルピ差導出部（97）が、調湿ユニット（10）毎のエンタルピ差Δｈの変化量を導出する。ここで、外気冷房運転時において、例えば第１及び第２調湿ユニット（10a,10b）のエンタルピ差Δｈの変化量が所定値よりも大きく、第３及び第４調湿ユニット（10c,10d）のエンタルピ差Δｈの変化量が所定値以下であったとする。この場合、自然換気によって第１及び第２調湿ユニット（10a,10b）の近傍では、室内空気が速やかに冷却されてエンタルピ差が小さく変化したのに対し、第３及び第４調湿ユニット（10c,10d）の近傍では、自然換気によって室内空気がなかなか冷却されずエンタルピ差もさほど変化していないと判断することができる。
【００３１】
そこで、このような場合の風量制御部（98）は、エンタルピ差Δｈの変化量が所定値よりも大きい第１及び第２調湿ユニット（10a,10b）の各排気ファン（25）の風量を減少させる。これにより、第１及び第２調湿ユニット（10a,10b）側に取り込まれる窓からの室外空気の量が少なくなり、その分だけ第３及び第４調湿ユニット（10c,10d）側に取り込まれる窓からの室外空気の量が多くなる。その結果、室内のエンタルピ分布のムラを解消することができる。
【００３２】
第７の発明は、第６の発明において、上記エンタルピ差導出部（97）は、上記調湿ユニット（10）毎の上記エンタルピ差の所定時間における変化量を求めるように構成され、上記風量制御部（98）は、調湿ユニット（10）の上記エンタルピ差の変化量が所定値よりも小さくなると、対応する調湿ユニット（10）以外の調湿ユニット（10）の排気ファン（25）の風量を増大させることを特徴とする。
【００３３】
第７の発明では、エンタルピ差導出部（97）が、調湿ユニット（10）毎のエンタルピ差Δｈの変化量を導出する。ここで、外気冷房運転時において、例えば第１及び第２調湿ユニット（10a,10b）のエンタルピ差Δｈの変化量が所定値よりも大きく、第３及び第４調湿ユニット（10c,10d）のエンタルピ差Δｈの変化量が所定値以下であったとする。この場合、自然換気によって第１及び第２調湿ユニット（10a,10b）の近傍では、室内空気が速やかに冷却されてエンタルピ差が小さく変化したのに対し、第３及び第４調湿ユニット（10c,10d）の近傍では、自然換気によって室内空気がなかなか冷却されずエンタルピ差もさほど変化していないと判断することができる。
【００３４】
そこで、このような場合の風量制御部（98）は、エンタルピ差Δｈの変化量が所定値よりも小さい第３及び第４調湿ユニット（10c,10d）の各排気ファン（25）の風量を減少させる。これにより、第３及び第４調湿ユニット（10c,10d）側に取り込まれる窓からの室外空気の量が多くなり、その分だけ第１及び第２調湿ユニット（10a,10b）側に取り込まれる窓からの室外空気の量が多くなる。その結果、室内のエンタルピ分布のムラを解消することができる。
【００３５】
第８の発明は、第５の発明において、上記風量制御部（98）は、上記エンタルピ差導出部（97）で導出されたエンタルピ差が大きくなると、対応する調湿ユニット（10）の排気ファン（25）の風量を増大させ、上記エンタルピ差導出部（97）で導出されたエンタルピ差が小さくなると、対応する調湿ユニット（10）の排気ファン（25）の風量を減少させることを特徴とする。
【００３６】
第８の発明では、第６や第７の発明と異なり、各調湿ユニット（10）のエンタルピ差Δｈの大きさに応じて、対応する排気ファン（25）の風量が制御される。具体的には、例えば第３調湿ユニット（10c）や第４調湿ユニット（10d）でのエンタルピ差ΔＴが比較的大きい場合、自然換気によって第３調湿ユニット（10c）や第４調湿ユニット（10d）の近傍が充分に冷却されていないと判断できる。このような場合、風量制御部（98）は、第３調湿ユニット（10c）や第４調湿ユニット（10d）の排気ファン（25）の風量を増大させる。その結果、第３調湿ユニット（10c）や第４調湿ユニット（10d）の近傍まで窓からの室外空気が行き渡るようになり、室内のエンタルピ分布のムラが解消される。
【００３７】
また、例えば第１調湿ユニット（10a）や第２調湿ユニット（10b）でのエンタルピ差Δｈが比較的小さい場合、自然換気によって調湿ユニット（10）の近傍が充分に冷却されているが、これに伴い残りの第３調湿ユニット（10c）や第４調湿ユニット（10d）の近傍が充分に冷却されていない虞があると判断できる。従って、このような場合、風量制御部（98）は、第１調湿ユニット（10a）や第２調湿ユニット（10b）の排気ファン（25）の風量を減少させる。その結果、第３調湿ユニット（10c）や第４調湿ユニット（10d）の近傍まで窓からの室外空気が行き渡るようになり、室内のエンタルピ分布のムラが解消される。
【発明の効果】
【００３８】
第１の発明では、室外空気の温度と各調湿ユニット（10）に吸い込まれる各室内空気の温度とを検出し、外気冷房運転時において、これらの外気と各内気との温度差に基づいて排気ファン（25）の風量を制御するようにしている。このため、本発明によれば、窓等が開放されて自然換気が行われる際、室内の温度分布が不均一となった場合にも、このような温度分布のムラを上記の各温度差によって把握することができる。従って、この温度分布のムラを解消するように排気ファン（25）の風量を制御することで、自然換気によって室内を均一に冷却できる。その結果、室内の省エネ性や快適性の向上を図ることができる。
【００３９】
また、本発明では、温度分布のムラを把握するための外気温度センサ（91）や内気温度センサ（92）を、調湿手段（51,52）による空気の湿度調節にも利用できる。
【００４０】
第２の発明では、外気冷房運転時において、調湿ユニット（10）毎の各温度差の変化量が所定値よりも大きくなると、この変化量が所定値よりも大きくなった調湿ユニット（10）の排気ファン（25）の風量を低減させるようにしている。これにより、本発明によれば、排気ファン（25）の風量を低減して動力の削減を図りながら、室内の温度分布のムラを解消できる。
【００４１】
第３の発明では、外気冷房運転時において、調湿ユニット（10）毎の各温度差の変化量が所定値よりも大きくなると、この変化量が所定値よりも大きくなった調湿ユニット（10）以外の調湿ユニット（10）の排気風量を増大させるようにしている。これにより、窓等から導入される室外空気を多く導入することができ、室内を迅速且つ均一に冷却することができる。
【００４２】
第４の発明では、外気冷房運転時において、調湿ユニット（10）毎の各温度差の大きさに応じて、対応する調湿ユニット（10）の排気ファン（25）の風量を増減させるようにしている。これにより、本発明によれば、比較的単純な制御により、室内の温度分布を均一化できる。
【００４３】
第５の発明では、室外空気の温度及び湿度から求めた外気エンタルピと、各調湿ユニット（10）に吸い込まれる室内空気の温度及び湿度から求めた各内気エンタルピとの差（各エンタルピ差）を導出し、外気冷房運転時には、各エンタルピ差に基づいて、各調湿ユニット（10）の排気ファン（25）の風量をそれぞれ制御している。このため、本発明によれば、窓等が開放されて自然換気が行われる際、室内の温度分布が不均一となった場合にも、このような温度分布のムラを上記の各エンタルピ差によって把握することができる。加えて、本発明では、外気湿度と内気湿度をも考慮しているため、室内のエンタルピの分布も均一化することができる。
【００４４】
第６の発明では、外気冷房運転時において、調湿ユニット（10）毎の各エンタルピ差の変化量が所定値よりも大きくなると、この変化量が所定値よりも大きくなった調湿ユニット（10）の排気ファン（25）の風量を低減させるようにしている。これにより、本発明によれば、排気ファン（25）の風量を低減して動力の削減を図りながら、室内の温度やエンタルピの分布のムラを解消できる。
【００４５】
第７の発明では、外気冷房運転時において、調湿ユニット（10）毎の各エンタルピ差の変化量が所定値よりも大きくなると、この変化量が所定値よりも大きくなった調湿ユニット（10）以外の調湿ユニット（10）の排気風量を増大させるようにしている。これにより、窓等から導入される室外空気を多く導入することができ、室内を迅速且つ均一に冷却することができる。
【００４６】
第８の発明では、外気冷房運転時において、調湿ユニット（10）毎の各エンタルピ差の大きさに応じて、対応する調湿ユニット（10）の排気ファン（25）の風量を増減させるようにしている。これにより、本発明によれば、比較的単純な制御により、室内の温度やエンタルピの分布を均一化できる。
【００４７】
また、本発明では、外気エンタルピ導出部（91,93,97）で検出した外気温度や外気湿度、あるいは内気エンタルピ導出部（92,94,97）で検出した内気温度や内気湿度を、調湿手段（51,52）による空気の湿度調節にも利用できる。
【発明を実施するための最良の形態】
【００４８】
以下、本発明の実施形態を図面に基づいて詳細に説明する。なお、以下の実施形態は、本質的に好ましい例示であって、本発明、その適用物、あるいはその用途の範囲を制限することを意図するものではない。
【００４９】
《発明の実施形態１》
実施形態１の調湿システム（1）は、複数の調湿ユニット（10）を備え、これらの調湿ユニット（10）で同一の室内の湿度を調節するものである。
【００５０】
〈調湿ユニットの構成〉
まず、調湿ユニット（10）の全体構成について図１及び図２を参照しながら説明する。なお、本実施形態の調湿システム（1）では、各調湿ユニット（10）が同様の構成となっている。調湿ユニット（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００５１】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００５２】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００５３】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００５４】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００５５】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００５６】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００５７】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は内気吸込口（23）と連通し、外気側通路（34）は外気吸込口（24）に連通している。内気側通路（32）には、内気側フィルタ（27）が設置されている。外気側通路（34）には、外気側フィルタ（28）が設置されている。
【００５８】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００５９】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。吸着熱交換器（51,52）は、空気の湿度を調節するための調湿手段を構成している。
【００６０】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００６１】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００６２】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００６３】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００６４】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。また、給気ファン（26）及び排気ファン（25）は、モータの回転数が可変となり、風量が変更可能に構成されている。
【００６５】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００６６】
圧縮機（53）は、圧縮機モータの回転数が可変（即ち、容量が可変）なインバータ式の圧縮機で構成されている。また、圧縮機（53）は、固定スクロールと可動スクロールとが噛み合わされて、可動スクロールが固定スクロールに対して偏心回転して冷媒を圧縮する、スクロール式の圧縮機で構成されている。
【００６７】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００６８】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００６９】
なお、図２の右側面図及び左側面図では、第１バイパス通路（81）、第２バイパス通路（82）、第１バイパス用ダンパ（83）、及び第２バイパス用ダンパ（84）の図示を省略している。
【００７０】
〈冷媒回路の構成〉
図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００７１】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００７２】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。このような四方切換弁（54）の設定の切り換えに応じて、冷媒回路（50）での冷媒の循環方向が反転する。即ち、四方切換弁（54）は、冷媒の循環方向を可逆に切り換える冷媒流路切換機構を構成している。そして、冷媒回路（50）では、四方切換弁（54）の切り換えに応じて、第１吸着熱交換器（51）を高圧冷媒が流れて第２吸着熱交換器（52）を低圧冷媒が流れる動作と、第１吸着熱交換器（51）を低圧冷媒が流れて第２吸着熱交換器（52）を高圧冷媒が流れる動作とが交互に行われる。
【００７３】
〈調湿システムの全体構成〉
調湿システム（1）の全体構成について図４を参照しながら説明する。本実施形態の調湿システム（1）には、第１から第４までの４台の調湿ユニット（10a,10b,10c,10d）が設けられている。なお、調湿ユニット（10）の台数は単なる例示であり、複数の調湿ユニット（10）であれば如何なる台数であっても良い。各調湿ユニット（10）は、室内の天井裏に設置されている。
【００７４】
各調湿ユニット（10）の給気口（22）には、給気ダクト（62）がそれぞれ接続している。各給気ダクト（62）の流出端は、室内に臨んでいる。給気ダクト（62）は、その内部を室内への供給空気（SA）が流れるように構成されている。各調湿ユニット（10）の排気口（21）には、排気分岐ダクト（61a）がそれぞれ接続している。各排気分岐ダクト（61a）の流出側は、１本の主排気ダクト（61b）と合流して室外に臨んでいる。排気分岐ダクト（61a）及び主排気ダクト（61b）は、その内部を室外への排出空気（EA）が流れる排気ダクト（61）を構成している。
【００７５】
各調湿ユニット（10）の内気吸込口（23）には、内気吸込ダクト（63）がそれぞれ接続している。各内気吸込ダクト（63）の流入端は、室内に臨んでいる。内気吸込ダクト（63）は、その内部を調湿ユニット（10）に吸い込まれる室内空気（RA）が流れるように構成されている。各調湿ユニット（10）の外気吸込口（24）には、外気吸込分岐ダクト（64a）がそれぞれ接続されている。各外気吸込分岐ダクト（64a）の流入側は、１本の主外気吸込ダクト（64b）に合流してから室外に臨んでいる。外気吸込分岐ダクト（64a）及び主外気吸込ダクト（64b）は、その内部を調湿ユニット（10）に吸い込まれる室外空気（OA）が流れる外気吸込ダクト（64）を構成している。
【００７６】
本実施形態の調湿システム（1）では、第１調湿ユニット（10a）及び第２調湿ユニット（10b）が室内の窓（W）寄りに配置され、第３調湿ユニット（10c）及び第４調湿ユニット（10d）が窓（W）と反対側の壁面（X）寄りに配置されている。これに伴い、第１調湿ユニット（10a）及び第２調湿ユニット（10b）の各内気吸込ダクト（63）の流入端は、窓（W）の近傍に位置し、第３調湿ユニット（10c）及び第４調湿ユニット（10d）の各内気吸込ダクト（63）の流入端は、窓（W）から比較的遠くに位置している。換言すると、第１調湿ユニット（10a）及び第２調湿ユニット（10b）の内気吸込ダクト（63）の流入端が、第３調湿ユニット（10c）及び第４調湿ユニット（10d）の内気吸込ダクト（63）の流入端よりも窓（W）の近くに位置している。
【００７７】
本実施形態の調湿システム（1）は、１つの外気温度センサ（91）と、第１から第４までの４つの内気温度センサ（92）とを有している。外気温度センサ（91）は、主外気吸込ダクト（64b）の内部に設けられている。外気温度センサ（91）は、室外空気（OA）の温度ＴOAを検出する。第１内気温度センサ（92a）は、第１調湿ユニット（10a）の内気吸込ダクト（63）の内部に、第２内気温度センサ（92b）は、第２調湿ユニット（10b）の内気吸込ダクト（63）の内部に、第３内気温度センサ（92c）は、第３調湿ユニット（10c）の内気吸込ダクト（63）の内部に、第４内気温度センサ（92d）は、第４調湿ユニット（10d）の内気吸込ダクト（63）の内部にそれぞれ設けられている。各内気温度センサ（92）は、対応する調湿ユニット（10）に吸い込まれる室内空気（RA）の温度ＴRAを検出する。
【００７８】
また、本実施形態の調湿システム（1）は、１つの外気湿度センサ（93）と、第１から第４までの４つの内気湿度センサ（94）とを有している。外気湿度センサ（93）は、主外気吸込ダクト（64b）の内部に設けられている。外気湿度センサ（93）は、室外空気（OA）の湿度を検出する。第１内気湿度センサ（94a）は、第１調湿ユニット（10a）の内気吸込ダクト（63）の内部に、第２内気湿度センサ（94b）は、第２調湿ユニット（10b）の内気吸込ダクト（63）の内部に、第３内気湿度センサ（94c）は、第３調湿ユニット（10c）の内気吸込ダクト（63）の内部に、第４内気湿度センサ（94d）は、第４調湿ユニット（10d）の内気吸込ダクト（63）の内部にそれぞれ設けられている。各内気湿度センサ（94）は、対応する調湿ユニット（10）に吸い込まれる室内空気（RA）の湿度を検出する。なお、外気湿度センサ（93）や内気湿度センサ（94）で検出される湿度は、絶対湿度と相対湿度のいずれであっても良い。
【００７９】
また、調湿システム（1）は、コントローラ（95）を備えている。コントローラ（95）には、入力部（96）と演算部（97）と風量制御部（98）とが設けられている。入力部（96）には、上記の各種のセンサの検出値が入力される。
【００８０】
演算部（97）は、外気温度センサ（91）で検出した外気温度ＴOAと、内気温度センサ（92）で検出した各内気温度ＴRAとの温度差を導出する温度差導出部を構成している。具体的に、本実施形態の演算部（97）は、外気温度ＴOAと、第１調湿ユニット（10a）に吸い込まれる室内空気の温度（内気温度ＴRA1）との温度差ΔＴ1と、外気温度ＴOAと、第２調湿ユニット（10b）に吸い込まれる室内空気の温度（内気温度ＴRA2）との温度差ΔＴ2と、外気温度ＴOAと、第３調湿ユニット（10c）に吸い込まれる室内空気の温度（内気温度ＴRA3）との温度差ΔＴ3と、第４調湿ユニット（10d）に吸い込まれる室内空気の温度（内気温度ＴRA4）との温度差ΔＴ4とを導出する。
【００８１】
風量制御部（98）は、演算部（97）で導出された調湿ユニット（10a,10b,10c,10d）毎の温度差ΔＴ1〜ΔＴ4に基づいて、各調湿ユニット（10）の排気ファン（25）の風量を制御する。風量制御部（98）による排気ファン（25）の風量制御の詳細は後述する。
【００８２】
−運転動作−
まず、調湿ユニット（10）の単独の運転動作について説明する。調湿ユニット（10）は、除湿換気運転と加湿換気運転と外気冷房運転とを選択的に行う。
【００８３】
除湿換気運転中や加湿換気運転中の調湿ユニット（10）は、取り込んだ室外空気（OA）を湿度調節してから供給空気（SA）として室内へ供給すると同時に、取り込んだ室内空気（RA）を排出空気（EA）として室外へ排出する。一方、外気冷房運転中の調湿ユニット（10）は、取り込んだ室外空気（OA）をそのまま供給空気（SA）として室内へ供給すると同時に、取り込んだ室内空気（RA）をそのまま排出空気（EA）として室外へ排出する。
【００８４】
また、除湿換気運転や加湿換気運転では、上記の各センサ（91,92,93,94）で検出した外気温度、各内気温度、外気湿度、各内気湿度に基づいて、調湿ユニット（10）の調湿能力が調節される。なお、本実施形態では、これらの外気温湿度、及び内気温湿度に基づいて冷媒回路（50）の圧縮機（53）の運転周波数が調節される。これにより、冷媒回路（50）での冷媒循環量が調節され、吸着熱交換器（51,52）の吸着能力や再生能力が変更される。
【００８５】
〈除湿換気運転〉
除湿換気運転中の調湿ユニット（10）では、後述する第１動作と第２動作が所定の時間間隔（３分間隔）で交互に繰り返される。つまり、除湿換気運転での２つの動作の１回毎の動作時間Δｔは３分に設定されている。この除湿換気運転中において、第１バイパス用ダンパ（83）及び第２バイパス用ダンパ（84）は、常に閉状態となる。
【００８６】
除湿換気運転中の調湿ユニット（10）では、室外空気が外気吸込口（24）からケーシング（11）内へ第１空気として取り込まれ、室内空気が内気吸込口（23）からケーシング（11）内へ第２空気として取り込まれる。
【００８７】
先ず、除湿換気運転の第１動作について説明する。図５に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００８８】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００８９】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００９０】
次に、除湿換気運転の第２動作について説明する。図６に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００９１】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００９２】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００９３】
〈加湿換気運転〉
加湿換気運転中の調湿ユニット（10）では、後述する第１動作と第２動作が所定の時間間隔（４分間隔）で交互に繰り返される。つまり、加湿換気運転での２つの動作の１回毎の動作時間Δｔは３分に設定されている。
この加湿換気運転中において、第１バイパス用ダンパ（83）及び第２バイパス用ダンパ（84）は、常に閉状態となる。
【００９４】
加湿換気運転中の調湿ユニット（10）では、室外空気が外気吸込口（24）からケーシング（11）内へ第２空気として取り込まれ、室内空気が内気吸込口（23）からケーシング（11）内へ第１空気として取り込まれる。
【００９５】
先ず、加湿換気運転の第１動作について説明する。図７に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００９６】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００９７】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００９８】
次に、加湿換気運転の第２動作について説明する。図８に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００９９】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【０１００】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【０１０１】
〈外気冷房運転〉
外気冷房運転は、夏季と冬季の間の中間期等、室外空気の温度が比較的低いような条件下において、室外空気を室内へ導入して室内の冷房を行う運転である。外気冷房運転は、上述した除湿換気運転や加湿換気運転中において、所定の条件が成立することで自動的に実行される。この条件としては、例えばi）外気温度センサ（91）で検出した外気温度が所定温度（例えば２０℃）より低いこと、ii)外気温度センサ（91）で検出した外気温度が、内気温度センサ（92）で検出した内気温度よりも低いこと、iii)室内の目標温度（設定温度）よりも内気温度センサ（92）で検出した内気温度の方が高いこと、等が挙げられる。これらの少なくとも１つ、又は少なくとも２つ、又は３つの条件が成立することで、外気冷房運転が自動的に実行される。
【０１０２】
外気冷房運転中における調湿ユニット（10）の動作について、図９を参照しながら説明する。外気冷房運転中の調湿ユニット（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、外気冷房運転中において、冷媒回路（50）の圧縮機（53）は停止状態となる。
【０１０３】
外気冷房運転中の調湿ユニット（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【０１０４】
また、外気冷房運転中の調湿ユニット（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【０１０５】
−外気冷房運転中の排気ファンの制御−
ところで、上記の外気冷房運転が行われるような中間期等においては、在室人が室外空気を室内へ取り込むために窓（W）を開放することがある。このように自然換気がなされている状況で外気冷房運転が行われると、室内の温度分布が不均一となり、省エネ性あるいは快適性が損なわれてしまう虞がある。
【０１０６】
具体的には、例えば図１２に示すように、室内の窓（W）が開放されて室外空気が室内へ導入されたとする。ここで、調湿システム（1）では、全ての調湿ユニット（10）で外気冷房運転が行われている。この場合、窓（W）から取り込まれた室外空気は、窓（W）の近傍に設置された第１調湿ユニット（10a）や第２調湿ユニット（10b）の内気吸込ダクト（63）にばかりに吸入されてしまう。その結果、窓（W）から取り込まれた室外空気が、室内の全域に行き渡らず、室内の温度分布が不均一となってしまう。そこで、本実施形態の調湿システム（1）では、外気冷房運転時に窓（W）が開放された状況において、室内を均一に冷却できるよう、次のように排気ファン（25）の風量を制御するようにしている。
【０１０７】
図１０に示すように、調湿システム（1）の外気冷房運転が開始されると、ステップＳＴ１において、外気温度センサ（91）が外気吸込ダクト（64）を流れる室外空気の温度ＴOAを検出する。ステップＳＴ２では、内気湿度センサ（92a,92b,92c,92d）が、各内気吸込ダクト（63）を流れる室内空気の温度ＴRA1、ＴRA2、ＴRA3、ＴRA4を検出する。次いで、ステップＳＴ３では、演算部（97）が、各調湿ユニット（10a,10b,10c,10d）に対応する、外気温度と内気温度との温度差ΔＴ1、ΔＴ2、ΔＴ3、ΔＴ4を算出する。更に、演算部（97）は、これらの温度差ΔＴ1-4について、所定時間における減少変化量Ｋ1、Ｋ2、Ｋ3、Ｋ4を導出する。
【０１０８】
ここで、外気冷房運転時において、窓（W）が開放されていたとする。この場合、窓（W）から取り込まれる外気は、第１及び第２調湿ユニット（10a,10b）側にばかり誘引される。このため、室内では第１及び第２調湿ユニット（10a,10b）の近傍の室内空気が急激に冷却される。その結果、第１及び第２調湿ユニット（10a,10b）に対応する温度差ΔＴ1及びΔＴ2の減少変化量Ｋ1、Ｋ2は、比較的大きな値となる。
【０１０９】
ステップＳＴ４において、温度差ΔＴ1及びΔＴ2の減少変化量Ｋ1、Ｋ2が所定値よりも大きくなると、ステップＳＴ５へ移行する。ステップＳＴ５では、減少変化量Ｋ1、Ｋ2が所定値よりも大きくなった第１及び第２調湿ユニット（10a,10b）が特定される。そして、ステップＳ５では、風量制御部（98）が、第１及び第２調湿ユニット（10a,10b）の各排気ファン（25）の風量を初期風量よりも少ない所定の風量まで低減させる。その結果、窓（W）から取り込まれた室外空気が、第１及び第２調湿ユニット（10a,10b）に吸い込まれる量が少なくなる。これに伴い、窓（W）から取り込まれた室外空気が、第３及び第４調湿ユニット（10c,10d）に誘引される量が多くなる。その結果、第３及び第４調湿ユニット（10c,10d）の近傍の室内空気も自然換気によって冷却されるので、室内の温度分布が均一化され、省エネ性及び快適性が改善される。
【０１１０】
−実施形態１の効果−
上記実施形態１では、外気冷房運転時において、外気温度センサ（91）で検出した外気温度ＴOAと、各内気温度センサ（92）で検出した各内気温度ＴRA1-4との温度差ΔＴ1-4を算出し、この温度差ΔＴ1-4の所定時間における変化量が所定値より大きい場合に、変化量が所定値より大きくなった調湿ユニット（10）の排気ファン（25）の排気量を減少させるようにしている。これにより、他の調湿ユニット（10）の近傍に窓（W）からの室外空気を行き渡らせることができ、室内の温度分布のムラを解消できる。
【０１１１】
また、上記実施形態１では、外気温度センサ（91）で検出した外気温度や内気温度センサ（92）で検出した内気温度を、各調湿ユニット（10）における空気の調湿に利用できる。即ち、各調湿ユニット（10）で上記の除湿換気運転や加湿換気運転を行う際には、上記のように外気温度や内気温度に基づいて圧縮機（53）の運転周波数が制御される。従って、上記実施形態１では、外気温度センサ（91）や内気温度センサ（92）を除湿／加湿換気運転と外気冷房運転との双方で共用でき、コスト削減を図ることができる。
【０１１２】
〈実施形態１の変形例〉
上記実施形態１では、外気冷房動作時において、温度差ΔＴの減少変化量Ｋが所定値よりも大きくなると（ステップＳ４）、これに対応する調湿ユニット（10）の排気ファン（25）の風量を減少させている（ステップＳ５）。しかしながら、ステップＳ５において、温度差ΔＴの減少変化量Ｋが所定値よりも大きくなると、これに対応する調湿ユニット（10）の排気ファン（25）を停止させて排気風量をゼロとするようにしても良い。
【０１１３】
また、ステップＳ５において、減少変化量Ｋが所定値よりも大きくなった調湿ユニット（10）以外の調湿ユニット（10）の排気ファン（25）の風量を増大させるようにしても良い。具体的には、例えばステップＳ４において、第１及び第２調湿ユニット（10a,10b）に対応する温度差ΔＴ1及びΔＴ2の減少変化量Ｋ1、Ｋ2が所定値よりも大きくなったとする。この場合、ステップＳ５において、減少変化量が所定値よりも大きくなった第１調湿ユニット（10a）及び第２調湿ユニット（10b）の各排気ファン（25）をそのままとする一方、これ以外の第３及び第４調湿ユニット（10c,10d）の各排気ファン（25）の風量を風量制御部（98）が増大させる。その結果、窓（W）から取り込まれた室外空気を、第３及び第４調湿ユニット（10c,10d）側まで誘引することができ、室内を均一且つ速やかに冷却することができる。
【０１１４】
更に、上記実施形態１では、外気温度ＴOAと内気温度ＴRAの温度差ΔＴの所定時間における変化量を指標として、排気ファン（25）の風量を制御している。しかしながら、調湿ユニット（10）毎の温度差ΔＴ1-4の大きさに応じて、対応する排気ファン（25）の風量を制御するようにしても良い。具体的には、例えば第３及び第４調湿ユニット（10c,10d）での各温度差ΔＴ3、ΔＴ4が比較的大きい場合、窓（W）からの室外空気によって第３調湿ユニット（10c）や第４調湿ユニット（10d）の近傍が充分に冷却されていないと判断できる。このような場合、風量制御部（98）は、第３及び第４調湿ユニット（10c,10d）の各排気ファン（25）の風量を増大させる。その結果、第３及び第４調湿ユニット（10c,10d）の近傍まで窓（W）からの室外空気が行き渡るようになり、室内の温度分布のムラが解消される。
【０１１５】
また、例えば第１及び第２調湿ユニット（10a,10b）での各温度差ΔＴが比較的小さい場合、窓（W）からの室外空気によって第１及び第２調湿ユニット（10a,10b）の近傍が充分に冷却されているが、これに伴い残りの第３及び第４調湿ユニット（10c,10d）の近傍が充分に冷却されていない虞があると判断できる。従って、このような場合、風量制御部（98）は、第１及び第２調湿ユニット（10a,10b）の各排気ファン（25）の風量を減少させる。その結果、第３及び第４調湿ユニット（10c,10d）の近傍まで窓（W）からの室外空気が行き渡るようになり、室内の温度分布のムラが解消される。
【０１１６】
《発明の実施形態２》
実施形態２の調湿システム（1）は、上記実施形態１と排気ファン（25）の制御方法が異なるものである。具体的には、実施形態２の演算部（97）は、外気温度センサ（91）で検出した外気温度と、外気湿度センサ（93）で検出した外気湿度とに基づいて室外空気のエンタルピｈOAを導出する。つまり、外気温度センサ（91）と外気湿度センサ（93）と演算部（97）とは、室外空気のエンタルピを導出する外気エンタルピ導出部を構成している。また、演算部（97）は、内気温度センサ（92）でそれぞれ検出した各内気温度と、内気湿度センサ（94）でそれぞれ検出した各内気湿度とに基づいて、各調湿ユニット（10）に対応する室内空気のエンタルピ（以下、内気エンタルピｈRAという）をそれぞれ導出する。つまり内気温度センサ（92）と内気湿度センサ（94）と演算部（97）とは、各調湿ユニット（10）にそれぞれ吸い込まれる室内空気毎のエンタルピを導出する内気エンタルピ導出部を構成している。更に、演算部（97）は、調湿ユニット（10）毎の内気エンタルピと、外気エンタルピとの差（エンタルピ差）を導出するエンタルピ差導出部を構成している。
【０１１７】
実施形態２の調湿システム（1）の外気冷房運転時には、次のように排気ファン（25）の風量が制御される。
【０１１８】
図１１に示すように、調湿システム（1）の外気冷房運転が開始されると、ステップＳＴ１１において、外気温度センサ（91）で検出した外気温度、及び外気湿度センサ（93）で検出した外気湿度に基づいて、外気エンタルピｈOAが導出される。ステップＳＴ１２では、各内気温度センサ（92a,92b,92c,92d）で検出した内気温度、及び各内気湿度センサ（94a,94b,94c,94d）で検出した内気湿度に基づいて、各内気エンタルピｈRA１、ｈRA2、ｈRA3、ｈRA4が導出される。次いでステップＳＴ１３では、演算部（97）が、各調湿ユニット（10a,10b,10c,10d）に対応する、外気エンタルピと内気エンタルピとのエンタルピ差Δｈ1,Δｈ2、Δｈ3、Δｈ4を算出する。更に、演算部（97）は、これらのエンタルピ差Δｈ1-4について、所定時間における減少変化量Ｋ1、Ｋ2、Ｋ3、Ｋ4を導出する。
【０１１９】
ここで、外気冷房運転時において、窓（W）が開放されていたとする。この場合、窓（W）から取り込まれる外気は、第１及び第２調湿ユニット（10a,10b）側にばかり誘引される。このため、室内では第１及び第２調湿ユニット（10a,10b）の近傍の室内空気が急激に冷却される。その結果、第１及び第２調湿ユニット（10a,10b）に対応するエンタルピ差Δｈ1及びΔｈ2の減少変化量Ｋ1、Ｋ2は、比較的大きな値となる。
【０１２０】
ステップＳＴ１４において、エンタルピ差Δｈ1及びΔｈ2の減少変化量Ｋ1、Ｋ2が所定値よりも大きくなると、ステップＳＴ１５へ移行する。ステップＳＴ１５では、減少変化量Ｋ1、Ｋ2が所定値よりも大きくなった第１及び第２調湿ユニット（10a,10b）が特定される。そして、ステップＳ１５では、風量制御部（98）が、第１及び第２調湿ユニット（10a,10b）の各排気ファン（25）の風量を初期風量よりも少ない所定の風量まで低減させる。その結果、窓（W）から取り込まれた室外空気が、第１及び第２調湿ユニット（10a,10b）に吸い込まれる量が少なくなる。これに伴い、窓（W）から取り込まれた室外空気が、第３及び第４調湿ユニット（10c,10d）に誘引される量が多くなる。その結果、第３及び第４調湿ユニット（10c,10d）の近傍の室内空気も自然換気によって冷却されるので、室内の温度分布が均一化され、省エネ性及び快適性が改善される。
【０１２１】
−実施形態２の効果−
実施形態２では、上記実施形態１と異なり、外気と内気の温度に加えて、外気と内気の湿度を考慮し、エンタルピ差（即ち、室内の顕熱負荷と潜熱負荷）に基づいて排気ファン（25）を制御している。このため、室内のエンタルピ分布を均一化でき、室内の省エネ性を一層効果的に向上することができる。
【０１２２】
また、上記実施形態２では、外気温度センサ（91）で検出した外気温度と、内気温度センサ（92）で検出した内気温度と、外気湿度センサ（93）で検出した外気湿度と、内気湿度センサ（94）で検出した内気湿度とを、各調湿ユニット（10）における空気の調湿に利用できる。即ち、各調湿ユニット（10）で上記の除湿換気運転や加湿換気運転を行う際には、上記のように外気温度、内気温度、外気湿度、内気湿度に基づいて圧縮機（53）の運転周波数が制御される。従って、実施形態２では、外気温度センサ（91）、内気温度センサ（92）、外気湿度センサ（93）、及び内気湿度センサ（94）を通常の除湿／加湿運転と外気冷房運転との双方で共用でき、コスト削減を図ることができる。
【０１２３】
〈実施形態２の変形例〉
上記実施形態２においても、上記実施形態１の変形例と同様の排気ファン（25）の制御を行うことができる。具体的には、上記実施形態２では、外気冷房動作時において、エンタルピ差Δｈの減少変化量Ｋが所定値よりも大きくなると（ステップＳ１４）、これに対応する調湿ユニット（10）の排気ファン（25）の風量を減少させている（ステップＳ１５）。しかしながら、ステップＳ１５において、エンタルピ差Δｈの減少変化量Ｋが所定値よりも大きくなると、これに対応する調湿ユニット（10）の排気ファン（25）を停止させて排気風量をゼロとするようにしても良い。
【０１２４】
また、ステップＳ１５において、減少変化量Ｋが所定値よりも大きくなった調湿ユニット（10）以外の調湿ユニット（10）の排気ファン（25）の風量を増大させるようにしても良い。具体的には、例えばステップＳ１４において、第１及び第２調湿ユニット（10a,10b）に対応するエンタルピ差Δｈ1及びΔｈ2の減少変化量Ｋ1、Ｋ2が所定値よりも大きくなったとする。この場合、ステップＳ１５において、減少変化量が所定値よりも大きくなった第１調湿ユニット（10a）及び第２調湿ユニット（10b）の各排気ファン（25）をそのままとする一方、風量制御部（98）が、これ以外の第３及び第４調湿ユニット（10c,10d）の各排気ファン（25）の風量を増大させる。その結果、窓（W）から取り込まれた室外空気を、第３及び第４調湿ユニット（10c,10d）側まで誘引することができ、室内を均一且つ速やかに冷却することができる。
【０１２５】
更に、上記実施形態２では、外気エンタルピｈOAと内気エンタルピｈRAのエンタルピ差Δｈの所定時間における変化量を指標として、排気ファン（25）の風量を制御している。しかしながら、調湿ユニット（10）毎のエンタルピ差Δｈ1-4の大きさに応じて、対応する排気ファン（25）の風量を制御するようにしても良い。具体的には、例えば第３及び第４調湿ユニット（10c,10d）での各エンタルピ差Δｈ3、Δｈ4が比較的大きい場合、窓（W）からの室外空気によって第３調湿ユニット（10c）や第４調湿ユニット（10d）の近傍が充分に冷却されていないと判断できる。このような場合、風量制御部（98）は、第３及び第４調湿ユニット（10c,10d）の各排気ファン（25）の風量を増大させる。その結果、第３及び第４調湿ユニット（10c,10d）の近傍まで窓（W）からの室外空気が行き渡るようになり、室内の温度やエンタルピの分布のムラが解消される。
【０１２６】
また、例えば第１及び第２調湿ユニット（10a,10b）での各エンタルピ差Δｈが比較的小さい場合、窓（W）からの室外空気によって第１及び第２調湿ユニット（10a,10b）の近傍が充分に冷却されているが、これに伴い残りの第３及び第４調湿ユニット（10c,10d）の近傍が充分に冷却されていない虞があると判断できる。従って、このような場合、風量制御部（98）は、第１及び第２調湿ユニット（10a,10b）の各排気ファン（25）の風量を減少させる。その結果、第３及び第４調湿ユニット（10c,10d）の近傍まで窓（W）からの室外空気が行き渡るようになり、室内の温度やエンタルピの分布のムラが解消される。
【０１２７】
《その他の実施形態》
上記各実施形態については、以下のような構成としてもよい。
【０１２８】
上記実施形態の調湿システム（1）では、空気を調湿する調湿手段として、冷媒回路（50）に接続された吸着熱交換器（51,52）を用いている。しかしながら、調湿手段は、これに限らず吸着ロータ方式等の他のものであっても良い。また、吸着熱交換器（51,52）を加熱又は冷却する熱媒体として温水や冷水を用いるようにしても良い。
【０１２９】
また、上記実施形態では、外気温度センサ（91）、内気温度センサ（92）、外気湿度センサ（93）、及び内気湿度センサ（94）をそれぞれダクトの内部に設けているが、これらのセンサを各調湿ユニット（10a,10b,10c,10d）内の空気通路の内部に設けるようにしても良い。
【産業上の利用可能性】
【０１３０】
以上説明したように、本発明は、複数の調湿ユニットにより室内の湿度を調節する調湿システムに関し、特に外気冷房が可能な調湿システムについて有用である。
【図面の簡単な説明】
【０１３１】
【図１】図１は、前面側から見た調湿ユニットをケーシングの一部および電装品箱を省略して示す斜視図である。
【図２】図２は、調湿ユニットの一部を省略して示す概略の平面図、右側面図、及び左側面図である。
【図３】図３は、冷媒回路の構成を示す配管系統図であって、(Ａ)は第１動作を示すものであり、(Ｂ)は第２動作を示すものである。
【図４】図４は、実施形態１の調湿システムの全体構成及び空気の流れを模式的に表した図である。
【図５】図５は、除湿換気運転の第１動作における空気の流れを示す調湿ユニットの概略の平面図、右側面図、及び左側面図である。
【図６】図６は、除湿換気運転の第２動作における空気の流れを示す調湿ユニットの概略の平面図、右側面図、及び左側面図である。
【図７】図７は、加湿換気運転の第１動作における空気の流れを示す調湿ユニットの概略の平面図、右側面図、及び左側面図である。
【図８】図８は、加湿換気運転の第２動作における空気の流れを示す調湿ユニットの概略の平面図、右側面図、及び左側面図である。
【図９】図９は、外気冷房運転における空気の流れを示す調湿ユニットの概略の平面図、右側面図、及び左側面図である。
【図１０】図１０は、実施形態１の調湿システムの外気冷房動作時の排気ファンの制御フローである。
【図１１】図１１は、実施形態２の調湿システムの外気冷房動作時の排気ファンの制御フローである。
【図１２】図１２は、調湿システムの一例を表した概略構成図である。
【符号の説明】
【０１３２】
10     調湿ユニット
25     排気ファン
26     給気ファン
51,52  吸着熱交換器（調湿手段）
91     外気温度センサ（外気エンタルピ導出部）
92     内気温度センサ（内気エンタルピ導出部）
93     外気湿度センサ（外気エンタルピ導出部）
94     内気湿度センサ内気エンタルピ導出部）
97     演算部（外気エンタルピ導出部、内気エンタルピ導出部）
98     風量制御部
【図１】
2010078245.tif 000003
【図２】
2010078245.tif 000004
【図３】
2010078245.tif 000005
【図４】
2010078245.tif 000006
【図５】
2010078245.tif 000007
【図６】
2010078245.tif 000008
【図７】
2010078245.tif 000009
【図８】
2010078245.tif 000010
【図９】
2010078245.tif 000011
【図１０】
2010078245.tif 000012
【図１１】
2010078245.tif 000013
【図１２】
2010078245.tif 000014